(57)【要約】  位置決め装置が記載される。この装置は、第１および第２側方エッジと上表面とを備える平面シートを有する。患者は、その両脚の近傍に第１および第２側方エッジが位置する状態で上表面上に位置決めされる。第１フレキシブル基材と第２フレキシブル基材とが、シートの第１および第２側方エッジにそれぞれ接続され、患者の隣接する脚をラッピングしてラッピング係合を形成可能である。患者の脚はこのラッピング係合によって、手術前、手術中、手術後、又は患者の搬送中に熱損失が防止される。シートに接続されたハンドルを利用して、患者が当該シートによって支持されている時に、当該シートを持ち上げたり、移動させたりすることができる。
2015508320.tif 000002
【特許請求の範囲】
【請求項１】
第１および第２側方エッジと上表面とを備える平面シートであって、当該シートは前記患者を第１位置に位置決めするように構成され、前記第１および第２側方ヘッジが前記患者の両脚の近傍に位置する状態で、前記上表面によって前記患者を支持する平面シートと、
前記シートに接続されて、前記患者が前記シートによって支持される時に、前記シートを持ち上げ又は移動させるハンドルと、
前記シートの前記第１側方エッジに接続された第１フレキシブル基材と、
前記シートの前記第２側方エッジに接続された第２フレキシブル基材と
を備え、
前記第１および第２フレキシブル基材は、前記第１位置において前記患者の隣接する脚をラッピングしてラッピング係合を形成可能であり、
前記脚のラッピング係合は、前記患者を保護するとともに、手術前、手術中、手術後、又は搬送中に、熱損失を防止する、患者位置決め装置。
【請求項２】
前記第１フレキシブル基材および第２フレキシブル基材のそれぞれに設けられた第１ファスナ及び第２ファスナと、
前記各平面基材の表面に設けられると共に、前記両フレキシブル基材が各脚と前記ラッピング係合状態にある時にアクセス可能な第３ファスナ及び第４ファスナと
を更に備え、
前記第１ファスナは前記第３ファスナに接続され、前記第２ファスナは前記第４ファスナに接続されることで、前記患者の前記ラッピング係合を固定する、請求項１に記載の患者位置決め装置。
【請求項３】
前記ラッピング係合時に、前記第１および第２フレキシブル基材は、前記患者の脚上にゆるく載置される、請求項１に記載の患者位置決め装置。
【請求項４】
前記第１ファスナと前記第２ファスナとは不連続であって、医療機器から前記患者の前記脚へのアクセスを可能にする、請求項１に記載の患者位置決め装置。
【請求項５】
前記第１フレキシブル基材と前記第２フレキシブル基材とはパッドされている、請求項１に記載の患者位置決め装置。
【請求項６】
前記第１フレキシブル基材と前記第２フレキシブル基材とに設けられた開口部を更に備え、
強制温風が前記開口部を貫通して前記患者を温めることができる、請求項１に記載の患者位置決め装置。
【請求項７】
前記第１フレキシブル基材と前記第２フレキシブル基材とは、孔あきで使い捨ての材料を含む、請求項１に記載の患者位置決め装置。
【請求項８】
前記第１および第２フレキシブル基材は前記平面シートと一体である、請求項１に記載の患者位置決め装置。
【請求項９】
前記平面シートの底表面は、当該平面シートの移動を補助するべく低摩擦係数を有する材料を含む、請求項１に記載の患者位置決め装置。
【請求項１０】
前記材料は、ＰＴＦＥ含浸の又はＰＴＦＥ被覆の生地、織成又は形成された時にツルツルする表面を有するスパンボンド又はその他の生地、織成ナイロン又はポリエステルから織成又は編成されるリップストップ（ｒｉｐ−ｓｔｏｐ）又はマイクロファイバベースの材料、を含むグループから選択される一種類の材料又は複数種類の材料の組み合わせから形成される、請求項９に記載の患者位置決め装置。
【請求項１１】
前記第１および第２フレキシブル基材は、実質的に平面である、請求項１に記載の患者位置決め装置。
【請求項１２】
前記第１フレキシブル基材は、前記ラッピング係合前、前記第２フレキシブル基材の大部分をカバーする、請求項１に記載の患者位置決め装置。
【請求項１３】
前記ラッピング係合前、前記第２フレキシブル基材の６０％より多くが前記第１フレキシブル基材によってカバーされる、請求項１２に記載の患者位置決め装置。
【請求項１４】
前記第１フレキシブル基材と前記第２フレキシブル基材との初期位置は調節可能であり、当該初期位置は前記ラッピング係合前の位置である、請求項１に記載の患者位置決め装置。
【請求項１５】
患者位置決め装置を製造する方法であって、
第１および第２側方エッジと上表面とを備える平面シートを提供する工程であって、当該平面シートは前記患者を第１位置に位置決めするように構成される工程と、
前記患者が前記シート上に支持されている時に、当該シートを持ち上げ、又は移動させるためにハンドルを前記シートに接続する工程と、
前記第１フレキシブル基材を、前記第１側方エッジの近傍で前記平面シートに接続する工程と、
前記第２フレキシブル基材を、前記第２側方エッジの近傍で前記平面シートに接続する工程と
を有し、
前記第１および第２フレキシブル基材は、前記第１位置において、前記患者の隣接する脚をラッピングして、ラッピング係合を可能にし、
前記ラッピング係合は、手術前、手術中、手術後、又は搬送中に、熱損失を防止し、
前記患者が前記第１位置において前記平面シート上に横たわっている時、前記シートと前記ハンドルは前記患者を持ち上げ、又は、移動させることができる、患者位置決め装置の製造方法。
【請求項１６】
前記第１フレキシブル基材と前記第２フレキシブル基材とは、孔あきで使い捨ての材料を含む、請求項１５に記載の患者位置決め装置の製造方法。
【請求項１７】
前記第１フレキシブル基材と前記第２フレキシブル基材とに開口部を設ける工程を更に有し、
強制温風が前記開口部を貫通して前記患者を温めることができる、請求項１５に記載の患者位置決め装置の製造方法。
【請求項１８】
前記第１フレキシブル延出部と前記第２フレキシブル延出部とに開口部を設ける工程を更に有し、
強制温風が前記開口部を貫通して前記患者を温めることができる、請求項１５に記載の患者位置決め装置の製造方法。
【請求項１９】
第１フレキシブル延出部および第２フレキシブル延出部と上表面とを備える平面シートを提供する工程であって、当該平面シートは前記患者を第１位置に位置決めするように構成される工程を有し、
前記第１および第２フレキシブル延出部は、前記第１位置において、前記患者の隣接する脚をラッピングして、ラッピング係合を可能にし、
前記脚のラッピング係合は、手術前、手術中、手術後、又は搬送中に、熱損失を防止し、そして
前記患者が前記第１位置において前記平面シート上に横たわっている時、前記シートは前記患者を持ち上げ、又は、移動させることができる、患者位置決め装置の製造方法。
【請求項２０】
前記第１フレキシブル延出部と前記第２フレキシブル延出部とは、孔あきで使い捨ての材料を含む、請求項１９に記載の患者位置決め装置の製造方法。
【発明の詳細な説明】
【技術分野】
【０００１】
本発明は患者位置決め装置に関する。
【背景技術】
【０００２】
患者を一つの支持台から別の支持台へと移すことは病院のスタッフにとって困難な作業である。病院の環境において、患者は常に移動される。例えば、救急車によって病院に搬入された患者は、医療用ストレッチャ又は救急ガーニーから病院ガーニー、固定された病院のベッド、検査台又は手術台へと移動される。又、既に入院中の患者も移動される必要がある。例えば、手術を受ける患者は、病院固定ベッドから病院ガーニーへ、さらに、手術台へと移動され、最後に、病院固定ベッドへと戻される。患者が移動されるたびに、患者を一つの支持面から別の支持面へとスライド又は側方移動することが必要である。
【０００３】
患者と病院スタッフにとって、この患者の側方移動において困難が生じる可能性がある。通常、共同作業する病院スタッフが、持ち上げ、スライド、又は引っ張りによる、患者の新たな支持表面への位置決め、移動を担当する。この作業では、患者が誤って支持面からずり落ちたり、落下したりするならば、患者を怪我させる可能性がある。更に、病院スタッフも、重い患者を持ち上げ、スライドさせ、又は引きずることにより怪我をする可能性がある。
【０００４】
実際に持ち上げること無く、患者を移動させるように構成された様々なシステムが従来技術に教示されている。これらのシステムは、患者を支持面へ、又、支持面から引っ張るための手段として、空気ローラ、プルストラップおよびガス詰め（インフレーション：  ｉｎｆｌａｔｉｏｎ）を使用する。これらのシステムの多くは、単一の患者／一回使用の用途のために意図されたものであり、これらの装置は、病院のベッドから手術台まで患者と共に留まる。
【０００５】
手術中の患者において、低体温症が認識され、一般的に発生する。低体温症を発症する患者は、心臓問題のリスクの増大、感染率の増大、血液損失の増大、回復期間の長期化、を含む併発症の高いリスクにさらされる。これに対応するために、医療担当者は患者をブランケットでカバーすることができる。ブランケットは通常、分厚くてほどけることが多いと共に、手術前、手術中、手術後、又は搬送中に患者から落ちる可能性がある。
【０００６】
手術用のドレープ又は手術用のレギンスを使用することが知られている。これらは、通常、殺菌され使い捨て式の薄い生地のパネルであって、患者が、結腸又は泌尿器外科手術中などの骨盤および下腹部に関連する切石位（ｌｉｔｈｏｔｏｍｙ  ｐｏｓｉｔｉｏｎ）にある時に外科手術中に使用される。ドレープ又はレギンスの主な目的は、手術領域を分離して殺菌環境を維持してそれによって感染の防止を助けることにある。又、ドレープ又はレギンスのいくつかのものは流体を制御、保持するように構成されている。これらのドレープおよびレギンスは、それらを通る液体に対して不浸透性でなければならない。
【０００７】
患者の位置決めのための構成が、ここにその全体を参考文献として合体させる、「Ｇｉａｐ特許出願」と呼ばれる２０１１年６月５日出願の米国特許出願１３／１５３，４３２号、「患者位置決め装置」に提供されている。
【発明の概要】
【発明が解決しようとする課題】
【０００８】
上述した課題に鑑み、本発明は、位置決め装置を提供することを目的とする。
【課題を解決するための手段】
【０００９】
この装置は、第１および第２側方エッジと上表面とを備える平面シートを有する。患者は、その両脚の近傍に前記第１および第２側方エッジが位置する状態で前記上表面上に位置決めされる。第１フレキシブル基材と第２フレキシブル基材とが、前記シートの前記第１および第２側方エッジにそれぞれ接続され、これら基材は、患者の隣接する脚をラッピングしてラッピング係合を形成することが可能である。この患者の脚のラッピング係合によって、手術前、手術中、手術後、又は患者の搬送中に熱損失が防止される。前記シートに接続されたハンドルを利用して、患者が当該シートによって支持されている時に、当該シートを持ち上げたり、移動させたりすることができる。
【００１０】
下記の詳細説明を添付の図面と請求項とを参照して解釈することにより本発明はより良く理解される。
【図面の簡単な説明】
【００１１】
【図１】外科手術事象の実施例のフローチャートである。
【図２】患者位置決め装置の実施例を図示している。
【図３Ａ】前記患者位置決め装置の実施例を示している。
【図３Ｂ】連続する取り付けポイントを備える前記患者位置決め装置の実施例である。
【図３Ｃ】不連続な取り付けポイントを備える前記患者位置決め装置の実施例である。
【図４】切石位にある患者を図示している。
【図５】孔あきで使い捨て式のレギンスを備える前記患者位置決め装置の実施例を図示している。
【図６】その上に患者が支持された状態の前記患者位置決め装置の実施例を図示している。
【図７】レギンスラッピング係合状態の前記患者位置決め装置の実施例を図示している。
【図８】前記患者位置決め装置用のファスナの実施例を図示している。
【図９】窓を備える前記患者位置決め装置の実施例を図示している。
【発明を実施するための形態】
【００１２】
支持表面上にある間、および／又は、別の支持表面への移送中、および／又は、手術前、手術中又は手術後に、患者を位置決め、保護、固定し、患者の熱損失を防止するために使用される患者位置決め装置が記載される。前記位置決め装置は、患者の位置の如何に関わらず、任意の手術中に使用することができる。実際に、患者が切石位にある場合は、前記患者位置決め装置の一実施例は、外科用レギンス特徴構成である。本発明のこれらの外科用レギンスは、支持基材とも呼ばれ、患者を保護するため、更に、その熱損失を防止するために使用される。
【００１３】
以下の説明は、当業者が本発明を製造し利用することを可能にするべく提供される。具体的な材料、技術および用途の記載は例としてのみ提供される。ここに記載される例における様々な改変が当業者には容易に理解されるであろう。そして、ここに記載される一般的原理は、本発明の要旨および範囲から逸脱することなく、その他の例および用途にも適用可能である。従って、本発明は、ここに記載され図示された具体例に限定されるものではなく、添付の請求項に一致する範囲を与えられるべきものである。以下、その内の単数又は複数の具体例が添付の図面に図示されている、開示される発明の実施例について詳細に説明する。
【００１４】
患者は、外科手術を受ける時に複数の段階を経験する。図１は、可能な外科手術事象１００のフローチャートである。プロセスは、手術前領域から始まる。工程１０２において、患者は、外科手術室に入る前にここで待機する。次に、患者は、手術室に移され、工程１０４において前誘導（ｐｒｅ−ｉｎｄｕｃｔｉｏｎ）段階が始まる。患者は、血圧カフ、心電図検査装置（ＥＫＧ）電極、パルスオキシメータ、輸液（ＩＶ）、等の必要なモニタを受ける。工程１０６又は誘導（ｉｎｄｕｃｔｉｏｎ）において、患者は手術のための麻酔を投与される。
【００１５】
工程１０８において、患者は手術用に位置決めされる。手術のタイプに応じて、患者は、腹臥位、背臥位、切石位、側方臥位、等に位置決めされる可能性がある。この間、患者の体の部分は、手術室において一般的、低温で循環する空気に晒される。外科手術中における体温の損失は懸念事項であって、患者の体は低体温症になる可能性がある。
【００１６】
低体温症は、外科手術過程中に起こる可能性がある。麻酔状態において、低温に対する行動応答の損失と、視床下部および自律神経系による温度調節性熱保存機構の障害が生じる可能性がある。麻酔は、更に、末梢血管拡張を引き起こし、それによって、熱損失を伴う血液量の再分布を引き起こし、深部体温の大幅な低下をもたらす。これに加えて、患者はそれらの外科手術中に、更に加速する熱損失を受ける可能性があり、又、手術を待つ不活動期間中に既に冷たくなっているかもしれない。一般的な麻酔の６〜８時間前に一般的に行われる、流体剥奪によって、患者は、又、比較的乾燥し、潅流不良になって、それらの循環による熱分布が更に損なわれる可能性もある。最後に、それを避けるために手段を講じることは可能ではあるが、温められない麻酔ガスと静脈注入とによって深部体温の低下が更に促進されるかもしれない。
【００１７】
工程１１０において、患者は手術に対する準備状態となる。これは、感染の回避に役立つ殺菌溶液を使用して、外科切開のために患者の皮膚の領域を準備することを含む。これによって患者の体からの更なる熱損失が発生する可能性がある。次に、患者のドレーピングが工程１１２において行われる。この工程中、患者の切開領域は、手術のために分離され露出されるが、その間、体のその他の部分は、通常、殺菌ドレープによってカバーされる。これらの殺菌ドレープは、通常、最小の熱損失防止を提供する薄いポリプロピレン材から形成されるが、その主たる目的は手術中の感染を減少させるための殺菌環境を提供することにある。
【００１８】
工程１１４において、手術が開始する。その手順に応じて、手術は短い場合もあるし、数時間続く場合もある。ここでも、患者の体からの更なる熱損失が生じる可能性がある。工程１１６において、手術が終了する。
【００１９】
工程１１８においてクリーンアップが始まる。患者、シーツ、カバーおよび器具がクリーニングされ、体液による汚れが除去される。工程１２０において、患者は麻酔から覚め初め、医療スタッフによって覚醒されるかもしれない。その後、患者は、工程１２２において輸送ガーニーに移動され、回復室に移されて、術後領域に入る。工程１２４において、患者は麻酔から更に回復する。
【００２０】
図２は、患者位置決め装置１０の実施例を図示している。この装置は、部分的に、ここに既に参考文献として合体させた、前記”Ｇｉａｐ特許出願」に記載されている。上表面２４が底表面２６の反対側に位置している。これら上表面２４と底表面２６は、フレキシブルな生地シートから形成されている。中央部分は矩形であり、その長さと幅は、人間のサイズと形状に応じたものとされている。
【００２１】
前記シートの外側エッジには複数のハンドル１４が接続され、これらは、患者が上表面によって支持、固定された状態で、装置を持ち上げ、引っ張り又は移動する際に使用される時に、装置に対する安全なグリップを可能にするものである。これらのハンドル１４の数と配向は図面に示されているものに限定されるものではなく、単に例示の目的で単純化されている。露出されている底表面２６は、ＰＴＦＥ含浸（ｉｍｐｒｅｇｎａｔｅｄ）の又はＰＴＦＥ被覆の生地、織成又は形成された時にツルツルする表面を有するスパンボンド又はその他の生地、織成ナイロンから織成又は編成されるリップストップ（ｒｉｐ−ｓｔｏｐ）又はマイクロファイバベースの材料、又はポリエステルを含むグループから選択される単一の材料又は複数の材料の組み合わせ、を含む当業者に理解される任意の低摩擦材料から形成することができるが、但しそれらに限定されるものではない。前記ツルツルする底表面２６は、装置１０に対して、又は、前記上表面２４を形成する材料の反対側に、縫製、積層又はコーティングしてもよい。
【００２２】
図２は、更に、患者の腕の周りに係合された時に、この腕に対してパッドする手段が提供されるようにパッドが埋め込まれた又は係合された層を有する二つの係合解除されたパッド付き基材１６も図示している。これは患者の腕を、台又は外科医によって加えられる圧力から保護する。これらパッド付き基材１６は、患者の腕の周りに係合してそれらを、下方の台又は支持面から少し持ち上げられた状態で体に対して保持するようにも構成されている。これは、患者の腕が固い台表面上に長時間支持される時に、その台と腕との間に空隙を設けることによって患者の腕に対するダメージを無くすことに役立つ。
【００２３】
前記パッド付き基材１６の裏面は、固定のためのフック／ループファスナ片を有する。ストラップ４０は、パッド付き基材１６が患者の腕の周りに巻きつけられた時に、これらパッド付き基材１６を固定するためのフック／ループファスナを有する。本発明の一実施例において、患者の腕を更に固定し、持ち上げるためにオーバラップシステムを使用することができる。このオーバラップシステムは、上表面２４の幅を横切って長手方向に配向され当該上表面２４に取り付けられたフレキシブルで矩形のオーバラップ基材１８を使用する。当該オーバラップ基材１８の底面は、係合時に前記パッド付き基材１６上の前記フック／ループファスナに対して固定されるフック／ループファスナ片を有する。オーバラップ基材１８は、患者の腕を固定する二次的手段を提供する。更に、第１および第２フレキシブル基材形成レギンス５２，５４が図示されている。
【００２４】
図３Ａは、前記患者位置決め装置の別実施例を図示している。この実施例は図２の実施例よりも単純であり、脚支持に焦点を当てたものである。平面シートは、第１および第２側方エッジと上表面２４とを有する。このシートは、患者が、この患者の両脚の近傍に前記第１および第２側方エッジが位置する状態で上表面２４によって支持される時に、患者を位置決めするように構成されている。患者の隣接する一方の脚の周りをラッピングしてラッピング係合を形成可能な第１および第２フレキシブル基材がレギンス５２，５４として例示（ｄｅｔａｉｌｅｄ）されている。脚のこれらのラッピング係合によって、手術前、手術中、手術後、又は搬送中の熱損失が防止され、圧力傷害から保護される。
【００２５】
レギンス５２は、それが患者の脚と係合されるまでは、その大部分がレギンス５４によってカバーされている。例えば、レギンス５２の、５０％，６０％，７０％，８０％，９０％又は９５％より多くをレギンス５４によってカバーすることができる。図２および図３Ａを参照すると、一実施例において前記患者位置決め装置を使用するために、患者は上表面２４上に位置決めされる。オプションとしてのパッド付き基材１６は、患者の腕の周りに係合してそれらを、下方の台又は支持面から少し持ち上げられた状態で体に対して保持するようにも構成されている。これは、患者の腕が固い台表面上に長時間支持される時に、その台と腕との間に空隙を設けることによって患者の腕に対するダメージを無くすことに役立つ。パッド付き基材１６は、患者の腕の周りに巻きつけられ、フック／ループファスナとストラップとによって固定される（“Ｇｉａｐ特許出願”に更に詳細に記載）。
【００２６】
レギンス５２およびレギンス５４は、患者の脚の周りに係合して患者を保護するとともに熱損失を防止するように構成されている。患者が上表面２４上に位置決めされると、ユーザがレギンス５４の自由エッジ６４（図３Ａを参照）を持ち上げ、このフレキシブル基材を、たとえば、隣接する脚の、上から、その後、その下から巻き付け、ラッピング係合を作り出す（図６を参照）。フック／ループファスナ（例えば、ベルクロ（登録商標））のフックを各自由エッジ６２および６４においてレギンス５２および５４の下側に位置させ（図３Ａを参照）、フック／ループファスナ（例えば、ベルクロ（登録商標））のフックを取り付けられた外側エッジ５８および６０においてレギンス５２および５４の上側に位置させることができる（図３Ａを参照）。
【００２７】
これらのレギンスの使用は、患者が結腸又は泌尿器外科手術中などの骨盤および下腹部に関連する切石位にある場合（すなわち、その両脚があぶみに置かれる時）に実用的である。一実施例において、レギンス５２および５４は、あぶみ等の医療装置によって生じうる圧力損傷からの保護のためにパッド付にすることができる。いくつかの研究によって、患者が切石位での長時間の外科処置と循環系合併症との間に有意な関係があることが判った。この状態は、限られた組織空間内における組織圧の増大によってその空間の循環と機能とが損なわれることによって生じる。大腿骨又は腓骨神経に対する神経傷害の可能性もある。パッドすることは、レギンス５２およびレギンス５４全体に埋め込み又は係合させてもよいし、あるいは、膝関節、ふくらはぎおよび／又は足首、等に接触する領域等、ある特定の領域のみに埋め込み又は係合させてもよい。
【００２８】
図３Ａを参照すると、上表面２４の下側部分は、レギンス５２およびレギンス５４に対する取り付けのための領域である。これらは、実質的に平面であり、前記シートと一体で、レギンス５２およびレギンスレギンス５４の上エッジ６６において上表面２４に対して取り付けられている。レギンス５２は、又、上表面２４の外側エッジ５８においても取り付けられ、レギンス５４は、上表面２４の外側エッジ６０においても取り付けられている。これらの取り付け領域６８は、図３Ｂに図示されているように、前記外側エッジ全体に沿って連続するものであってもよいし、あるいは、図３Ｃに図示されているように不連続であってもよい。又、前記取り付け部は、縫製等による恒久的なものであってもよいし、あるいは、調節を可能にするフック／ループファスナ（たとえば、ベルクロ（登録商標））等によって一時的に取り付けられるものであってもよい。一実施例において、レギンス５２およびレギンス５４は、孔あき７０で使い捨ての材料から形成することができる。このようにすることで、両レギンスを、上表面２４から、容易、簡便かつ完全に取り外して廃棄することが可能となる。図５にこの実施例を図示している。
【００２９】
図６は、患者がその上に支持された本発明の一実施例を図示している。患者位置決め装置１０は、別の支持表面への移送、又は、手術のための準備のために、支持表面上に、位置決め、保護および固定するのに使用される。別の実施例において、それは、通常のベッドシート、手術用ベッドシート、レギンス、又はそれらの組み合わせ、として機能することができる。レギンス構成を利用するためには、患者をシート状に位置決めし固定した後、レギンス５２およびレギンス５４を係合することができる。このために、レギンス５４の未取り付けエッジ、又は自由エッジを持ち上げて、隣接する脚上、次にこの脚の下に、巻き付け、その後固定する。レギンス５２も同様に構成されているが、但し、ここでは当該レギンス５２の自由エッジ６２を使用する。
【００３０】
図７は、レギンスをラッピング係合された状態の前記患者位置決め装置の別実施例を図示している。この実施例において、レギンス５２およびレギンス５４は、患者の脚の上にゆるく載置されている。このようにすることで、脚圧縮装置等の任意の必要な医療用装置を、レギンス５２およびレギンス５４を係合させた状態で、使用することが可能である。
【００３１】
レギンス５２およびレギンス５４を固定するために、大型又は小型のフック／ループファスナ（ベルクロ（登録商標））等のフックなどのファスナ５６が、各自由エッジ６２および６４においてレギンス５２およびレギンス５４の下側に設けられ、これに対して、フック／ループファスナ（ベルクロ（登録商標））のループが、各取り付けられた外側エッジ５８および６０においてレギンス５２およびレギンス５４の上側に設けられている。ファスナ５６は、各レギンス５２およびレギンス５４がそれぞれの脚と前記ラッピング係合状態にある時に、アクセス可能である。
【００３２】
図８は、患者位置決め装置用のファスナの実施例を示し、複数のファスナを図示している。これらのファスナ５６の数と配向は図面示されているものに限定されるものではなく、単に例示の目的で単純化されている。一実施例において、ファスナ５６は不連続である。これによって、ケーブルや試験管等の医療機器、又はモニタリングのために、患者の脚へのアクセスが許容される。
【００３３】
強制温風技術は、能動的に患者を温めるものであって患者の体温を正常化することに関連する。これによって体温の維持と低体温症の防止が補助される。強制温風システムは、患者を麻酔と手術の間、温かく保つことを補助するために使用される医療電気装置である。この装置は、通常、再利用可能なコントローラと、使い捨て式一回使用用のブランケットとを含む。強制温風を使用することによって、回復の時間が短縮され、患者の震えが減少し、それによって患者の快適性と満足度が改善される。
【００３４】
典型的な強制温風システムに使用される前記ブランケットは、二層であって、作業時に膨らむ。患者接触表面は、通気性であって、温風はブランケットから出て患者の皮膚の上を移動し、対流によって熱を患者に運ぶ。これらのブランケットは分厚く、保管空間を必要とする。患者を温かく保つためにその他の方法も使用可能である。
【００３５】
強制温風技術は、患者位置決め装置の下方部分がレギンス５２およびレギンス５４を備えて構成される場合に、本発明と利用可能である。別の実施例において、強制温風がそれらの開口部を通って患者の皮膚へと貫通することを許容するべくレギンス５２およびレギンス５４に小さな開口部、穴、又は通路を形成することができる。このようにして、強制温風を使用して、患者を温め、体温の維持を助けそれによって低体温症を防止することができる。又、レギンス５２およびレギンス５４が温め機能を提供することができるため、本装置を使用する場合、ブランケットはもはや不要とすることができる。
【００３６】
図９は、パッド付き基材１６のオプションとしての窓７２を図示している。患者の腕をラッピングする、パッド付き基材１６に設けられたこれらの窓７２は、血圧カフチューブ、パルスオキシメータケーブルおよび／又は静脈ライン、等の医療ライン、を通すために形成されている。これらの窓は、更に、パッド付き基材１６を患者の腕から巻き取って外す必要無く、患者の腕を観察するためにも使用される。一実施例において、窓７２は、パッド付き基材１６に設けられた開口部である。別実施例において、窓７２は、片側に恒久的に取り付けられた材料のフラップから成る。更に別の実施例において、窓７２は、フック／ループ式ベルクロ（登録商標）等によって一方側又は複数側に一時的に取り付けられた材料のフラップから構成される。これらの窓の数は変更可能であって図９に図示されている数は例示目的のものである。
【００３７】
前記ラッピング係合前のレギンス５２およびレギンス５４の初期位置は、図２に図示されているように、上表面２４に対してフラットである。図２を参照すると、患者の腕用のパッド付き基材１６の位置は、患者の脚用のレギンス５２およびレギンス５４と共に、たとえば、上表面２４上のフック／ループベルクロ（登録商標）の取り付け領域６８を使用することによって調節可能である。これによって、装置は、広範囲に異なる患者のサイズに対応可能となる。又、患者の腕用のパッド付き基材１６を孔あき７４にすることも可能である。このようにして、パッド付き基材１６を、上表面２４から、容易、簡便かつ完全に取り外して廃棄することが可能となる。
【００３８】
本明細書を本発明の特定の実施例に関して詳細に記載したが、当業者は、以上を理解することによって、これらの実施例に対する改変、バリエーション、および均等物に容易に想到するであろう。本発明に対するこれらおよびその他の改変は、本発明の要旨および範囲から逸脱することなく、当業者によって実施可能である。更に、当業者は、以上の記載が例示のためのみのものであって、本発明を限定することを意図するものではないことを理解するであろう。従って、本発明は、添付の請求項の範囲およびそれらの均等物に含まれるそのような改造およびバリエーションをカバーするのであることが意図される。
【図１】
2015508320.tif 000003
【図２】
2015508320.tif 000004
【図３Ａ】
2015508320.tif 000005
【図３Ｂ】
2015508320.tif 000006
【図３Ｃ】
2015508320.tif 000007
【図４】
2015508320.tif 000008
【図５】
2015508320.tif 000009
【図６】
2015508320.tif 000010
【図７】
2015508320.tif 000011
【図８】
2015508320.tif 000012
【図９】
2015508320.tif 000013
【国際調査報告】
2015508320.tif 000014